(57)【要約】      （修正有）【課題】スマート電熱衣類を提供する。【解決手段】衣類本体１と、前身頃４と、スイッチ５と、充電ＵＳＢケーブル６と加熱体を含み、前記衣類本体の前身頃及び後身頃の内側に、スイッチを介して充電ＵＳＢケーブルに接続されている遠赤外線炭素繊維発熱シートである複数の加熱体が設置され、かつ充電ＵＳＢケーブルを介してスマート温度制御電源に接続される。本考案によれば、１）ＵＳＢ充電方式であるので、使用し易く、屋外で使用される場合に柔軟に移動電源で充電でき、使用性や安全性の面で好ましい。２）肩部に３列のボタンが設置されるので、様々な体格に合わせるように柔軟に衣類のサイズを調節できる。３）左右の両側にファスナーが３列ずつ設置されるので、柔軟に衣類のサイズを調節できる。【選択図】図１
0003214974.tif 000002
【実用新案登録請求の範囲】
【請求項１】
衣類本体と、前身頃と、スイッチと、充電ＵＳＢケーブルと、加熱体と、を含むスマート電熱衣類であって、前記衣類本体の前記前身頃及び後身頃の内側に、前記スイッチを介して前記充電ＵＳＢケーブルに接続されている遠赤外線炭素繊維発熱シートである複数の前記加熱体が設置され、かつ前記充電ＵＳＢケーブルを介してスマート温度制御電源に接続され、前記前身頃上に前記充電ＵＳＢケーブルを収容するポケットが設置され、前記衣類本体の肩部に３列のボタンが設置され、前記衣類本体の両側の腰部にそれぞれ３列のファスナーエレメント列と１列のファスナーエレメント列を含むサイズ調節用布片が設置されることを特徴とする、スマート電熱衣類。
【請求項２】
前記スイッチが前記前身頃上に設置されることを特徴とする、請求項１に記載のスマート電熱衣類。
【考案の詳細な説明】
【技術分野】
【０００１】
本考案は、発熱衣類に関し、具体的にはスマート電熱衣類に関する。
【背景技術】
【０００２】
冬に寒冷前線が襲来すると、気温が低下するので、人々は防寒・保温のために、厚くて重い衣類やジャケットを幾つか装着するのが一般的である。しかしながら、人が装着する衣類の数には限界があり、且つ重い衣類やジャケットの収納、洗濯は煩雑である。これに対して、数少ない防寒製品、例えば使い捨てカイロ、保温袋または電熱衣類等が市販されているが、使い捨てカイロ、保温袋のような保温製品は通常一定の使用時間があり、且つ人体のある部分のみ保温可能で、その使用時の温度も調整できないので、使用者に対する適切な保温効果を十分に果すとは言えない。
【０００３】
従来の衣類は、構造が簡単であり、美しく見せるための、科学技術の発展に伴う人々の要望に、答えることができていない。
【考案の概要】
【考案が解決しようとする課題】
【０００４】
本考案は、上記の背景技術における課題を解決するためのスマート電熱衣類の提供を目的とする。
【課題を解決するための手段】
【０００５】
上記の目的を達成するために、本考案は、以下のような技術手段を提供する。
【０００６】
衣類本体と、前身頃と、スイッチと、充電ＵＳＢケーブルと、加熱体と、を含み、前記衣類本体の前記前身頃及び後身頃の内側に、前記スイッチを介して前記充電ＵＳＢケーブルに接続されている遠赤外線炭素繊維発熱シートである複数の前記加熱体が設置され、かつ前記充電ＵＳＢケーブルを介してスマート温度制御電源に接続されるスマート電熱衣類である。
【０００７】
さらに、本考案は、前記スイッチが前記前身頃上に設置されることが好ましい。
【０００８】
さらに、本考案は、前記前身頃上に前記充電ＵＳＢケーブルを収容するポケットが設置されることが好ましい。
【０００９】
さらに、本考案は、前記衣類本体の肩部に３列のボタンが設置されることが好ましい。
【００１０】
さらに、本考案は、前記衣類本体の両側の腰部に、３列のファスナーエレメント列と１列のファスナーエレメント列を含むサイズ調節用布片が設置されることが好ましい。
【考案の効果】
【００１１】
従来技術に比べて、本考案は以下のような有益な効果を有する。
【００１２】
１）ＵＳＢ充電方式であるので、使用しやすく、屋外で使用される場合に柔軟に移動電源で充電でき、使用性や安全性の面で好ましい。
【００１３】
２）肩部に３列のボタンが設置されるので、様々な体格に合わせるように柔軟に衣類のサイズを調節できる。
【００１４】
３）左右の両側にファスナーが３列ずつ設置されるので、柔軟に衣類サイズを調節できる。
【図面の簡単な説明】
【００１５】
【図１】本考案の構造の外表面を示す模式図である。
【図２】本考案の構造の内表面を示す模式図である。
【考案を実施するための形態】
【００１６】
以下、図面を参照して、本考案の実施例中の技術手段を詳細に説明するが、説明する実施例は本考案の一部の実施例であり、全ての実施例でないことは言うまでもない。本考案中の実施例に基づいて、当業者は創造性の活動をしない前提で得られた全ての他の実施例は、いずれも本考案の保護範囲に属する。
【００１７】
図１及び図２に示す通り、本考案の実施例のスマート電熱衣類は、衣類本体１と、ボタン２と、ファスナー３と、前身頃４と、スイッチ５と、充電ＵＳＢケーブル６と、ポケット７と、サイズ調節用布片８と加熱体９を含み、前記衣類本体１の前身頃４及び後身頃の内側に、スイッチ５を介して充電ＵＳＢケーブル６に接続して加熱・保温する遠赤外線炭素繊維発熱シートである複数の加熱体９が設置され、充電ＵＳＢケーブル６を介して電源に接続され、衣類の加熱効果を実現し、前記スイッチ５が前身頃４上に設置され、且つ前身頃４上に充電ＵＳＢケーブル６を収容するポケット７が設置されている。
【００１８】
前記衣類本体１の肩部に、様々な体格に合わせるように柔軟に衣類のサイズを調節するための３列のボタン２が設置される。
【００１９】
前記衣類本体１の両側の腰部に３列のファスナーエレメント列と１列のファスナーエレメント列を含むサイズ調節用布片８が設置され、様々な体格に合わせるようにファスナー３によって柔軟に衣類の幅を調節する。
【００２０】
遠赤外線炭素繊維発熱シートによる熱エネルギー伝導によって発熱を行い、スマート温度制御電源を電源として採用することによって、全体の温度が人体に耐える温度に達した場合に、遠赤外線炭素繊維発熱シートが自動的に定温になり、遠赤外線炭素繊維発熱シートが柔軟に着脱可能であるので、遠赤外線炭素繊維発熱シートを容易に取り外して、幾つかの季節に対応することができる。スマート温度制御電源は、ハイレベル及びローレベルという２つのレベルを有し、いつでもスイッチングや温度を調節でき、低電圧なので安全で信頼性が高い。
【００２１】
本考案は、以上の例示的な実施例に限定されるものではなく、本考案の精神や基本的な特徴点を逸脱しない限り、他の形態で実施できるのが当業者にとって明らかである。従って、実施例のすべての点は例示であって、制限的なものではないと考えられるべきであり、本考案の範囲は、上記の説明ではなく、実用新案登録請求の範囲によって示されるのであって、本考案の範囲には、実用新案登録請求の範囲と均等の意味および範囲内でのすべての変更が含まれることが意図されている。請求項における任意の図面符号は関連する請求項を限定するものと解釈されるべきではない。
【００２２】
なお、本明細書では説明の明確化のために幾つかの実施の形態を説明したが、各実施の形態は１つしか単一の技術手段を含まない訳ではなく、各実施例中の技術手段を適切に組み合わせて、当業者が理解できる他の実施の形態を容易に想到することは、当業者に自明であろう。
【図１】
0003214974.tif 000003
【図２】
0003214974.tif 000004